(57)【要約】【課題】頻繁なアクションによる煩わしさを防止し、最新のイベントの発生を速報可能なイベント通知システム、電子時計及びイベント通知方法を提供する。【解決手段】イベント通知システムは、イベントが発生したことを示すイベント発生情報を外部機器に通知するイベント発生情報通知部を有する電子機器と、前記電子機器より少なくとも１以上の前記イベント発生情報を受信するイベント発生情報受信部と、最も新しいイベントから古いイベントに向かう順で、受信した前記イベント発生情報に関する問い合わせを前記電子機器に行う問い合わせ部と、問い合わせ結果により得られるアクションの要否に基づいて、アクションを実行するアクション実行部と、有する電子時計と、を備え、前記電子時計は、所定の場合に、二重にアクションが実行されるのを制限する。【選択図】図４
2020197538.tif 000002
【特許請求の範囲】
【請求項１】
イベントが発生したことを示すイベント発生情報を外部機器に通知するイベント発生情報通知部を有する電子機器と、
前記電子機器より少なくとも１以上の前記イベント発生情報を受信するイベント発生情報受信部と、
最も新しいイベントから古いイベントに向かう順で、受信した前記イベント発生情報に関する問い合わせを前記電子機器に行う問い合わせ部と、
問い合わせ結果により得られるアクションの要否に基づいて、アクションを実行するアクション実行部と、有する電子時計と、を備え、
前記電子時計は、前記アクション実行部によりアクションが実行された場合並びに前記問い合わせ部による問い合わせが、最後にアクションが実行されたイベントに係るイベント発生情報に到達した場合及び前記問い合わせ部による問い合わせが既に問い合わせがなされたイベント発生情報に到達した場合の少なくともいずれかの場合に、二重にアクションが実行されるのを制限する、
イベント通知システム。
【請求項２】
前記問い合わせ部は、前記アクション実行部によりアクションが実行された場合並びに前記問い合わせ部による問い合わせが、最後にアクションが実行されたイベントに係るイベント発生情報に到達した場合及び前記問い合わせ部による問い合わせが既に問い合わせがなされたイベント発生情報に到達した場合の少なくともいずれかの場合に、問い合わせを終了する、
請求項１に記載のイベント通知システム。
【請求項３】
前記アクション実行部は、前記イベントの種類に応じて、異なるアクションを実行する、
請求項１又は２に記載のイベント通知システム。
【請求項４】
前記電子時計は、前記イベントの種類毎に、二重にアクションが実行されるのを制限する、
請求項３に記載のイベント通知システム。
【請求項５】
前記アクション実行部は、前記イベントの優先度に応じて、異なるアクションを実行する、
請求項１乃至４のいずれか１項に記載のイベント通知システム。
【請求項６】
前記アクション実行部は、異なる優先度のイベントについて、前記優先度が高いイベントについてのアクションを、前記優先度が低いイベントについてのアクションに対して、優先的に実行する、
請求項５に記載のイベント通知システム。
【請求項７】
前記問い合わせ部は、連続した問い合わせの数が所定数に達した場合、問い合わせを終了する、
請求項１乃至６のいずれか１項に記載のイベント通知システム。
【請求項８】
前記問い合わせ部は、所定の周期で前記電子機器への問い合わせを行い、受信された前記イベント発生情報の数が所定数以上である場合、前記所定の周期を短くする、
請求項１乃至７のいずれか１項に記載のイベント通知システム。
【請求項９】
前記イベント発生情報は、イベント発生順に応じた連続する番号を含み、
前記電子時計は、
最後にアクションが実行されたイベントに係るイベント発生情報の番号を記憶する記憶部と、
新たに受信した前記イベント発生情報の番号が、最後に受信した前記イベント発生情報の番号以下である場合に、前記記憶部に記憶された前記イベント発生情報の番号を消去する消去部と、をさらに有する、
請求項１乃至８のいずれか１項に記載のイベント通知システム。
【請求項１０】
前記イベント発生情報は、イベント発生順に応じた連続する番号を含み、
前記電子時計は、
最後にアクションが実行されたイベントに係るイベント発生情報の番号を記憶する記憶部と、
新たに受信した前記イベント発生情報の番号が、最後に受信した前記イベント発生情報の番号以下である場合に、前記記憶部に記憶された前記イベント発生情報の番号を、少なくとも最後に受信した前記イベント発生情報の番号から新たに受信した前記イベント発生情報の番号を引いた数だけ減算する減算部と、をさらに有する、
請求項１乃至８のいずれか１項に記載のイベント通知システム。
【請求項１１】
前記電子時計は、前記問い合わせ部による問い合わせ中に、前記イベント発生情報受信部により前記電子機器から新たなイベント発生情報を受信した場合、前記問い合わせ部による問い合わせに係るイベントの種類に応じて、問い合わせを中断するか継続するかを判断する、
請求項１乃至１０のいずれか１項に記載のイベント通知システム。
【請求項１２】
電子時計は、前記問い合わせ部による問い合わせを中断した場合、最も新しいイベントに係るイベント発生情報から問い合わせを再開する、
請求項１１に記載のイベント通知システム。
【請求項１３】
前記電子機器は、前記問い合わせ部からの問い合わせに対して、問い合わせに係る前記イベント発生情報についてのアクションの要否を通知するアクション要否通知部をさらに有する、
請求項１乃至１２のいずれか１項に記載のイベント通知システム。
【請求項１４】
前記電子機器は、前記問い合わせ部からの問い合わせに対して、問い合わせに係る前記イベント発生情報についてのイベント詳細情報を通知するイベント詳細情報通知部をさらに有し、
前記問い合わせ部は、前記イベント詳細情報についてのアクションの要否の問い合わせを前記電子機器に行い、
前記電子機器は、前記アクションの要否の問い合わせに対して、問い合わせに係る前記イベント詳細情報についてのアクションの要否を通知するアクション要否通知部をさらに有する、
請求項１乃至１２のいずれか１項に記載のイベント通知システム。
【請求項１５】
前記電子機器は、前記問い合わせ部からの問い合わせに対して、問い合わせに係る前記イベント発生情報についてのイベント詳細情報を通知するイベント詳細情報通知部をさらに有し、
前記電子時計は、前記イベント詳細情報に基づいて、問い合わせに係る前記イベント発生情報についてのアクションの要否を判断するアクション要否判断部をさらに有する、
請求項１乃至１２のいずれか１項に記載のイベント通知システム。
【請求項１６】
電子機器より、イベントが発生したことを示す少なくとも１以上のイベント発生情報を受信するイベント発生情報受信部と、
最も新しいイベントから古いイベントに向かう順で、受信した前記イベント発生情報に関する問い合わせを前記電子機器に行う問い合わせ部と、
問い合わせ結果により得られるアクションの要否に基づいて、アクションを実行するアクション実行部と、を備え、
前記アクション実行部によりアクションが実行された場合並びに前記問い合わせ部による問い合わせが、最後にアクションが実行されたイベントに係るイベント発生情報に到達した場合及び前記問い合わせ部による問い合わせが既に問い合わせがなされたイベント発生情報に到達した場合の少なくともいずれかの場合に、二重にアクションが実行されるのを制限する、
電子時計。
【請求項１７】
電子機器により、イベントが発生したことを示すイベント発生情報を電子時計に通知し、
電子時計により、前記電子機器より少なくとも１以上の前記イベント発生情報を受信し、
電子時計により、最も新しいイベントから古いイベントに向かう順で、受信した前記イベント発生情報に関する問い合わせを前記電子機器に行い、
電子時計により、問い合わせ結果により得られるアクションの要否に基づいて、アクションを実行し、
前記電子時計は、アクションが実行された場合並びに問い合わせが、最後にアクションが実行されたイベントに係るイベント発生情報に到達した場合及び問い合わせが既に問い合わせがなされたイベント発生情報に到達した場合の少なくともいずれかの場合に、二重にアクションが実行されるのを制限する、
イベント通知方法。
【発明の詳細な説明】
【技術分野】
【０００１】
本発明はイベント通知システム、電子時計及びイベント通知方法に関する。
【背景技術】
【０００２】
イベント通知システムは、スマートフォン等の電子機器と電子時計を備え、電子メールの着信等のイベントの発生を電子機器から電子時計に通知して、電子時計によってアクションを起こしてユーザに知らせる場合がある。ここで、電子時計は、ＩＥＥＥ  ８０２．１５等の規格に基づいた近距離無線通信により電子機器と通信する場合がある。
【０００３】
例えば、特許文献１には、少なくとも予め設定された時間間隔を空けて報知手段にメール着信通知を行わせる携帯型電子装置が記載されている。
【先行技術文献】
【特許文献】
【０００４】
【特許文献１】特許第５７８２８５４号
【発明の概要】
【発明が解決しようとする課題】
【０００５】
電子機器と電子時計の間の近距離無線通信は、通信間隔が数十ミリ秒〜数秒であり、通信間隔を短くするほどより多くの情報を伝送できるが、電子時計の消費電力が大きくなる。電子機器から電子時計に対してイベント発生情報を通知して、電子時計によりイベントの発生を知らせるアクションを実行する場合、通信間隔を短くすると、数秒の間に複数のイベントが発生した場合であっても電子時計によって都度アクションを実行することができるが、電子時計の消費電力が大きくなり、また頻繁なアクションによりユーザが煩わしさを感じる懸念もある。
【０００６】
一方、電子機器と電子時計の通信間隔を長くすると、電子時計の消費電力が低減されるが、数秒の間に複数のイベントが発生した場合に、全てのイベントを処理するまでに長時間要することになるし、イベントが発生したことの速報性も乏しくなる。
【０００７】
本発明はかかる事情に鑑みてなされたものであり、その目的は、頻繁なアクションによる煩わしさを防止し、最新のイベントの発生を速報可能なイベント通知システム、電子時計及びイベント通知方法を提供することである。
【課題を解決するための手段】
【０００８】
上記課題を解決すべく本出願において開示される発明は種々の側面を有しており、それら側面の代表的なものの概要は以下の通りである。
【０００９】
（１）イベント通知システムは、イベントが発生したことを示すイベント発生情報を外部機器に通知するイベント発生情報通知部を有する電子機器と、前記電子機器より少なくとも１以上の前記イベント発生情報を受信するイベント発生情報受信部と、最も新しいイベントから古いイベントに向かう順で、受信した前記イベント発生情報に関する問い合わせを前記電子機器に行う問い合わせ部と、問い合わせ結果により得られるアクションの要否に基づいて、アクションを実行するアクション実行部と、有する電子時計と、を備え、前記電子時計は、前記アクション実行部によりアクションが実行された場合並びに前記問い合わせ部による問い合わせが、最後にアクションが実行されたイベントに係るイベント発生情報に到達した場合及び前記問い合わせ部による問い合わせが既に問い合わせがなされたイベント発生情報に到達した場合の少なくともいずれかの場合に、二重にアクションが実行されるのを制限する。
【００１０】
（２）（１）において、前記問い合わせ部は、前記アクション実行部によりアクションが実行された場合並びに前記問い合わせ部による問い合わせが、最後にアクションが実行されたイベントに係るイベント発生情報に到達した場合及び前記問い合わせ部による問い合わせが既に問い合わせがなされたイベント発生情報に到達した場合の少なくともいずれかの場合に、問い合わせを終了する、イベント通知システム。
【００１１】
（３）（１）又は（２）において、前記アクション実行部は、前記イベントの種類に応じて、異なるアクションを実行する、イベント通知システム。
【００１２】
（４）（３）において、前記電子時計は、前記イベントの種類毎に、二重にアクションが実行されるのを制限する、イベント通知システム。
【００１３】
（５）（１）乃至（４）のいずれか１項において、前記アクション実行部は、前記イベントの優先度に応じて、異なるアクションを実行する、イベント通知システム。
【００１４】
（６）（５）において、前記アクション実行部は、異なる優先度のイベントについて、前記優先度が高いイベントについてのアクションを、前記優先度が低いイベントについてのアクションに対して、優先的に実行する、イベント通知システム。
【００１５】
（７）（１）乃至（６）のいずれか１項において、前記問い合わせ部は、連続した問い合わせの数が所定数に達した場合、問い合わせを終了する、イベント通知システム。
【００１６】
（８）（１）乃至（７）のいずれか１項において、前記問い合わせ部は、所定の周期で前記電子機器への問い合わせを行い、受信された前記イベント発生情報の数が所定数以上である場合、前記所定の周期を短くする、イベント通知システム。
【００１７】
（９）（１）乃至（８）のいずれか１項において、前記イベント発生情報は、イベント発生順に応じた連続する番号を含み、前記電子時計は、最後にアクションが実行されたイベントに係るイベント発生情報の番号を記憶する記憶部と、新たに受信した前記イベント発生情報の番号が、最後に受信した前記イベント発生情報の番号以下である場合に、前記記憶部に記憶された前記イベント発生情報の番号を消去する消去部と、をさらに有する、イベント通知システム。
【００１８】
（１０）（１）乃至（８）のいずれか１項において、前記イベント発生情報は、イベント発生順に応じた連続する番号を含み、前記電子時計は、最後にアクションが実行されたイベントに係るイベント発生情報の番号を記憶する記憶部と、新たに受信した前記イベント発生情報の番号が、最後に受信した前記イベント発生情報の番号以下である場合に、前記記憶部に記憶された前記イベント発生情報の番号を、少なくとも最後に受信した前記イベント発生情報の番号から新たに受信した前記イベント発生情報の番号を引いた数だけ減算する減算部と、をさらに有する、イベント通知システム。
【００１９】
（１１）（１）乃至（１０）のいずれか１項において、前記電子時計は、前記問い合わせ部による問い合わせ中に、前記イベント発生情報受信部により前記電子機器から新たなイベント発生情報を受信した場合、前記問い合わせ部による問い合わせに係るイベントの種類に応じて、問い合わせを中断するか継続するかを判断する、イベント通知システム。
【００２０】
（１２）（１１）において、電子時計は、前記問い合わせ部による問い合わせを中断した場合、最も新しいイベントに係るイベント発生情報から問い合わせを再開する、イベント通知システム。
【００２１】
（１３）（１）乃至（１２）のいずれか１項において、前記電子機器は、前記問い合わせ部からの問い合わせに対して、問い合わせに係る前記イベント発生情報についてのアクションの要否を通知するアクション要否通知部をさらに有する、イベント通知システム。
【００２２】
（１４）（１）乃至（１２）のいずれか１項において、前記電子機器は、前記問い合わせ部からの問い合わせに対して、問い合わせに係る前記イベント発生情報についてのイベント詳細情報を通知するイベント詳細情報通知部をさらに有し、前記問い合わせ部は、前記イベント詳細情報についてのアクションの要否の問い合わせを前記電子機器に行い、前記電子機器は、前記アクションの要否の問い合わせに対して、問い合わせに係る前記イベント詳細情報についてのアクションの要否を通知するアクション要否通知部をさらに有する、イベント通知システム。
【００２３】
（１５）（１）乃至（１２）のいずれか１項において、前記電子機器は、前記問い合わせ部からの問い合わせに対して、問い合わせに係る前記イベント発生情報についてのイベント詳細情報を通知するイベント詳細情報通知部をさらに有し、前記電子時計は、前記イベント詳細情報に基づいて、問い合わせに係る前記イベント発生情報についてのアクションの要否を判断するアクション要否判断部をさらに有する、イベント通知システム。
【００２４】
（１６）電子時計は、電子機器より、イベントが発生したことを示す少なくとも１以上のイベント発生情報を受信するイベント発生情報受信部と、最も新しいイベントから古いイベントに向かう順で、受信した前記イベント発生情報に関する問い合わせを前記電子機器に行う問い合わせ部と、問い合わせ結果により得られるアクションの要否に基づいて、アクションを実行するアクション実行部と、を備え、前記アクション実行部によりアクションが実行された場合並びに前記問い合わせ部による問い合わせが、最後にアクションが実行されたイベントに係るイベント発生情報に到達した場合及び前記問い合わせ部による問い合わせが既に問い合わせがなされたイベント発生情報に到達した場合の少なくともいずれかの場合に、二重にアクションが実行されるのを制限する。
【００２５】
（１７）イベント通知方法は、電子機器により、イベントが発生したことを示すイベント発生情報を電子時計に通知し、電子時計により、前記電子機器より少なくとも１以上の前記イベント発生情報を受信し、電子時計により、最も新しいイベントから古いイベントに向かう順で、受信した前記イベント発生情報に関する問い合わせを前記電子機器に行い、電子時計により、問い合わせ結果により得られるアクションの要否に基づいて、アクションを実行し、前記電子時計は、アクションが実行された場合並びに問い合わせが、最後にアクションが実行されたイベントに係るイベント発生情報に到達した場合及び問い合わせが既に問い合わせがなされたイベント発生情報に到達した場合の少なくともいずれかの場合に、二重にアクションが実行されるのを制限する。
【発明の効果】
【００２６】
上記本発明の（１）、（２）、（１３）〜（１７）の側面によれば、頻繁なアクションによる煩わしさを防止し、最新のイベントの発生を速報可能なイベント通知システム、電子時計及びイベント通知方法が得られる。
【００２７】
また、上記本発明の（３）の側面によれば、イベントの発生に加えてイベントの種類の別が通知される。
【００２８】
また、上記本発明の（４）の側面によれば、異なる種類のイベントそれぞれについて、頻繁なアクションによる煩わしさが防止される。
【００２９】
また、上記本発明の（５）の側面によれば、イベントの発生に加えて優先度の別が通知される。
【００３０】
また、上記本発明の（６）の側面によれば、異なる優先度のイベントそれぞれについて、頻繁なアクションによる煩わしさが防止される。
【００３１】
また、上記本発明の（７）の側面によれば、イベント発生情報の処理が長時間に及ぶことが防止される。
【００３２】
また、上記本発明の（８）の側面によれば、イベント発生情報の処理が長時間に及ぶことが防止され、イベント発生の速報性が向上する。
【００３３】
また、上記本発明の（９）の側面によれば、最後にアクションが実行されたイベントが誤って認定されることが防止される。
【００３４】
また、上記本発明の（１０）の側面によれば、最後にアクションが実行されたイベントが誤って認定されることが防止され、イベント発生情報の問い合わせに要する時間が短縮される。
【００３５】
また、上記本発明の（１１）の側面によれば、イベントが追加で発生した場合に、速報すべきイベントに関する問い合わせが継続され、イベントの発生を適切にユーザに知らせることができる。
【００３６】
また、上記本発明の（１２）の側面によれば、問い合わせ部による問い合わせ中であっても、最新のイベントについて問い合わせが行なわれ、イベントの速報性が向上する。
【図面の簡単な説明】
【００３７】
【図１】本発明の第１の実施形態に係る電子時計の外観の一例を示す平面図である。
【図２】本発明の第１の実施形態に係るイベント通知システムの物理構成の一例を示す図である。
【図３】本発明の第１の実施形態に係るイベント通知システムの機能ブロック図である。
【図４】本発明の第１の実施形態に係る電子時計により受信されるイベント発生情報の番号を示す図である。
【図５】本発明の第１の実施形態に係るイベント通知システムにおいて実行されるイベント通知処理の第１のフローチャートである。
【図６】本発明の第１の実施形態に係るイベント通知システムにおいて実行されるイベント通知処理の第１のサブルーチンのフローチャートである。
【図７】本発明の第１の実施形態に係るイベント通知システムにおいて実行されるイベント通知処理の第２のフローチャートである。
【図８】本発明の第１の実施形態に係るイベント通知システムにおいて実行されるイベント通知処理の第２のサブルーチンのフローチャートである。
【図９】本発明の第１の実施形態に係る電子時計によるアクション実行処理の第１の例である。
【図１０】本発明の第１の実施形態に係る電子時計によるイベント種類毎のアクション実行処理のフローチャートである。
【図１１】本発明の第１の実施形態に係る電子時計によるアクション実行処理の第２の例である。
【図１２】本発明の第１の実施形態に係る電子時計による優先度毎のアクション実行処理のフローチャートである。
【図１３】本発明の第１の実施形態に係る電子時計による問い合わせ周期の設定処理のフローチャートである。
【図１４】本発明の第１の実施形態に係る電子時計によるイベント発生情報の番号の消去処理のフローチャートである。
【図１５】本発明の第１の実施形態に係る電子時計によるイベント発生情報の番号の減算処理のフローチャートである。
【図１６】本発明の第１の実施形態に係る電子時計により追加受信されるイベント発生情報の番号を示す図である。
【図１７】本発明の第１の実施形態に係る電子時計による問い合わせ中断処理のフローチャートである。
【図１８】本発明の第２の実施形態に係るイベント通知システムの機能ブロック図である。
【図１９】本発明の第２の実施形態に係るイベント通知システムにおいて実行されるイベント通知処理のフローチャートである。
【図２０】本発明の第３の実施形態に係るイベント通知システムの機能ブロック図である。
【図２１】本発明の第３の実施形態に係るイベント通知システムにおいて実行されるイベント通知処理のフローチャートである。
【発明を実施するための形態】
【００３８】
以下、本発明の実施の形態について、図面を参照しながら説明する。
【００３９】
［第１の実施形態］
図１は、本発明の第１の実施形態に係る電子時計１の外観の一例を示す平面図である。本実施形態に係る電子時計１は、いわゆるアナログ腕時計の外観を有し、電子機器である携帯端末３０と近距離無線通信を行う。近距離無線通信を行うための通信回路やアンテナは、外装（時計ケース）である胴内に納められている。近距離無線通信の規格は特に限定されず、公知のいかなるものであってもよいが、本実施形態ではＢＬＥ（Ｂｌｕｅｔｏｏｔｈ（登録商標）  Ｌｏｗ  Ｅｎｅｒｇｙ）を用いる。電子時計１は、時刻針の時刻合わせや機能の使用に用いる竜頭２と、プッシュボタン４を有する。
【００４０】
電子時計１は、外装（時計ケース）である胴内に文字板１０を有する。文字板１０上には、電子時計１が携帯端末３０との接続を確立する処理を行っていることを表す接続処理表示１１と、携帯端末３０との接続が切断されたことを表すリンクロス表示１２と、携帯端末３０に電子メールの受信があったことを通知する電子メール受信表示１３と、携帯端末３０に電話の着信があったことを通知する電話着信表示１４とを有する。電子時計１は、接続処理表示１１、リンクロス表示１２、電子メール受信表示１３及び電話着信表示１４のいずれかを後述する秒針２２により指し示すことで、ユーザに対しそれぞれの情報を表示する。
【００４１】
電子時計１は、第１副針１５を有し、第１副針１５により現在時刻を２４時制で示す２４時間表示１５ａを有する。また、電子時計１は、第２副針１６を有し、第２副針１６により二次電池の充電残量を「０」〜「３」の４段階で示す充電残量表示１６ａと、第２副針１６により現在の曜日を「日」〜「土」で示す曜日表示１６ｂと、第２副針１６によりアラーム機能の設定を「ＯＮ」又は「ＯＦＦ」で示すアラーム設定表示１６ｃと、第２副針１６により携帯端末３０との近距離無線通信による接続状態を「ＯＮ」又は「ＯＦＦ」で示す接続状態表示１６ｄと、を有する。また、電子時計１は、第３副針１７を有し、第３副針１７で「ＴＭＥ」を指すことにより現在時刻表示機能が設定されていることを示し、第３副針１７で「ＣＨＲ」を指すことによりクロノグラフ機能が設定されていることを示し、第３副針１７で「ＡＬＭ」を指すことによりアラーム機能の設定状態にあることを示し、第３副針１７で「Ｌ−ＴＭ」を指すことによりローカル時刻表示機能が設定されていることを示す、機能設定表示１７ａを有する。
【００４２】
電子時計１は、モータにより駆動される複数の時刻針を有する。具体的には、電子時計１は、時刻針として、ステッピングモータにより駆動される時針２０、分針２１及び秒針２２を有する。もっとも、電子時計１は、これら以外の指針を時刻針として有してもよい。また、時刻針は何らかの時刻を指し示すためのアナログ表示部材であり、代表的なものは指針であるが、特殊なものとして、回転円板や、レトログラードなども時刻針に含まれ得る。
【００４３】
電子時計１には、文字板１０を覆うようにガラス等の透明材料により形成された風防が胴に取り付けられている。また、風防の反対側においては裏蓋が胴に取り付けられている。本明細書では、以降、電子時計１の風防が配置される方向（図１における紙面手前方向）を表側、裏蓋が配置される方向（図１における紙面奥方向）を裏側と呼ぶ。
【００４４】
図１に示した電子時計１のデザインは一例である。ここで示したもの以外にも、例えば、胴を丸型でなく角型にしてもよいし、竜頭２やプッシュボタン４の有無、数、配置は任意である。また、本実施形態では、指針を時針２０、分針２１、秒針２２、第１副針１５、第２副針１６及び第３副針１７の計６本としているが、これに限定されず、各種の表示を行う指針を追加又は削除してもよい。
【００４５】
図２は、本発明の第１の実施形態に係るイベント通知システム１００の物理構成の一例を示す図である。イベント通知システム１００は、電子機器である携帯端末３０と、電子時計１とを含む。電子時計１は、アンテナを含む時計通信部６２で近距離無線通信に用いられる電波を送受信する。電子時計１は、例えば、携帯端末３０からイベント発生情報がエンコードされた電波を受信する。受信された電波は、エンコード／デコード回路４１によりデコードされ、コントローラ４０に受け渡される。コントローラ４０は、電子時計１全体の動作を制御するマイクロコンピュータであり、その内部に時計回路を有しており、内部時刻を計時する機能を有している。内部時刻は、携帯端末３０より送信される時刻情報に基づいて修正され、正確に保たれる。
【００４６】
コントローラ４０には、ユーザによる外部からの操作を受け付ける入力部（竜頭２及びプッシュボタン４）からの信号が入力される。また、コントローラ４０からは、内部時刻に基づいてモータ４２を駆動する信号が出力され、指針（時針２０、分針２１及び秒針２２）を駆動し、時刻が表示される。さらに、電子時計１の状態や携帯端末３０から受信した情報に応じた信号がモータ４２に出力され、第１副針１５、第２副針１６及び第３副針１７が駆動される。なお、指針を駆動するモータ４２は１つに限定されず、独立して動作させたい指針の数に応じて複数のモータを設けてよい。また、コントローラ４０からは、ブザー１８により音を発生させる信号が出力される。ブザー１８は、どのようなものを用いてもよく、例えば圧電ブザーであってよい。
【００４７】
本実施形態に係る電子時計１は、太陽電池４３を備える。太陽電池４３による発電により得られた電力は、電池４４に蓄積される。電池４４からは、エンコード／デコード回路４１及びコントローラ４０に電力が供給される。スイッチ４５は、エンコード／デコード回路４１への電力供給のオン／オフを切り替えるスイッチであり、コントローラ４０により制御される。高周波数で動作するエンコード／デコード回路４１はその消費電力が大きいため、コントローラ４０は、電波を送受信する時のみスイッチ４５をオンとしてエンコード／デコード回路４１を動作させ、それ以外の時はスイッチ４５をオフとして、消費電力を低減する。
【００４８】
電子時計１による近距離無線通信は、竜頭２やプッシュボタン４等の入力手段によるユーザからの要求がなされた時や、あらかじめ定められた時刻となったとき、前回の時刻修正があった時刻からの経過時間、あるいは太陽電池４３の発電量やその他の電子時計１の周囲の環境を示す情報等に基づいて行うようにしてよい。
【００４９】
携帯端末３０は、アンテナを含む端末通信部５４で近距離無線通信に用いられる電波を送受信する。携帯端末３０は、例えば、エンコード／デコード回路３２により時刻修正情報をエンコードして、電子時計１に送信する。また、携帯端末３０は、インターネット回線や電話回線に無線接続され、時刻情報を取得したり、電子メールの送受信や電話通信を行ったりする。ＣＰＵ（Ｃｅｎｔｒａｌ  Ｐｒｏｃｅｓｓｉｎｇ  Ｕｎｉｔ）３１は、携帯端末３０全体の動作を制御し、その内部に時計回路を有しており、内部時刻を計時する機能を有している。時計回路は、インターネット回線より取得される時刻情報に基づいて適宜修正され、正確な計時が維持される。
【００５０】
ＣＰＵ３１には、ユーザによる外部からの操作を受け付ける入力部５０（タッチパネル）からの信号が入力される。また、ＣＰＵ３１からは、表示部５１（液晶ディスプレイ）に映像信号が出力される。携帯端末３０は、電池３３を備え、電池３３からエンコード／デコード回路３２及びＣＰＵ３１に電力が供給される。
【００５１】
図３は、本発明の第１の実施形態に係るイベント通知システム１００の機能ブロック図である。携帯端末３０は、入力部５０と、表示部５１と、端末制御部５２と、端末通信部５４と、を有する。入力部５０は、携帯端末３０のユーザの操作を受け付けて、携帯端末３０の端末制御部５２に入力を行うものであり、本実施形態の場合タッチパネルである。表示部５１は、ユーザに種々の情報を表示するものであり、本実施形態の場合、液晶ディスプレイである。
【００５２】
端末制御部５２は、ＣＰＵ３１で構成され、携帯端末３０全体を制御する。端末制御部５２は、アクション要否判断部５２ａと、イベント種類判断部５２ｂと、優先度判断部５２ｃと、を含む。アクション要否判断部５２ａは、イベントの発生に対してアクションを実行する必要があるか否かを判断する。ここで、イベントとは、発生したことをユーザに通知すべき事象をいい、例えば電子メール、電話及びメッセージの着信、アプリケーションからの通知等である。また、アクションとは、イベントの発生をユーザに通知する動作をいい、本実施形態に係るイベント通知システム１００の場合、ブザー１８の鳴動である。イベント種類判断部５２ｂは、イベントの種類を判断する。イベントの種類とは、イベントの具体的な種別であり、例えば電子メール、電話及びメッセージの着信、アプリケーションからの通知等の別である。優先度判断部５２ｃは、イベントの通知に関する優先度を判断する。優先度は、設定されなくてもよいし、多段階設定されてもよい。
【００５３】
端末通信部５４は、イベント発生情報通知部５４ａと、アクション要否通知部５４ｂと、を含む。イベント発生情報通知部５４ａは、イベントが発生したことを示すイベント発生情報を外部機器に通知する。イベント発生情報は、イベントの発生を識別出来る情報であればどのようなものであってもよい。本実施形態に係るイベント通知システム１００では、イベント発生情報は、イベント発生順に応じた連続する番号を含む。アクション要否通知部５４ｂは、アクション要否判断部５２ａで判断されたアクションの要否を電子時計１に通知する。アクション要否通知部５４ｂは、イベント種類判断部５２ｂで判断されたイベントの種類毎にアクションの要否を電子時計１に通知してもよいし、優先度判断部５２ｃにより判断された優先度毎にアクションの要否を電子時計１に通知してもよい。
【００５４】
電子時計１は、番号記憶部６０と、ブザー１８と、時計制御部６１と、時計通信部６２と、を含む。番号記憶部６０は、最後にアクションが実行されたイベントに係るイベント発生情報の番号を記憶する。
【００５５】
時計制御部６１は、アクション実行部６１ａと、問い合わせ部６１ｂと、消去部６１ｄと、を含む。また、問い合わせ部６１ｂは、周期設定部６１ｃを含む。問い合わせ部６１ｂは、最も新しいイベントから古いイベントに向かう順で、携帯端末３０（電子機器）より受信したイベント発生情報に関する問い合わせを携帯端末３０に行う。アクション実行部６１ａは、問い合わせ部６１ｂによる問い合わせ結果により得られるアクションの要否に基づいて、アクションを実行する。周期設定部６１ｃは、所定の周期で携帯端末３０への問い合わせを行い、受信されたイベント発生情報の数が所定数以上である場合、所定の周期を短くする。消去部６１ｄは、新たに受信したイベント発生情報の番号が、最後に受信したイベント発生情報の番号以下である場合に、番号記憶部６０に記憶されたイベント発生情報の番号を消去する。減算部６１ｅは、新たに受信したイベント発生情報の番号が、最後に受信したイベント発生情報の番号以下である場合に、番号記憶部６０に記憶されたイベント発生情報の番号を、少なくとも最後に受信したイベント発生情報の番号から新たに受信したイベント発生情報の番号を引いた数だけ減算する。
【００５６】
時計通信部６２は、イベント発生情報受信部６２ａと、問い合わせ送信部６２ｂと、を含む。イベント発生情報受信部６２ａは、携帯端末３０より少なくとも１以上のイベント発生情報を受信する。問い合わせ送信部６２ｂは、問い合わせ部６１ｂによる問い合わせを受けて、携帯端末３０に送信する。
【００５７】
図４は、本発明の第１の実施形態に係る電子時計１により受信されるイベント発生情報の番号を示す図である。イベント発生情報は、携帯端末３０においてイベントが発生したことを示す情報であり、イベント発生順に応じた連続する番号を含む。同図では、左側に記載した下向き矢印によりイベント発生情報の通知順（イベント発生順）を示している。また、１から８までのイベント発生情報の番号を示している。番号「１」のイベント発生情報が最も過去に受信されたイベント発生情報であり、番号「８」のイベント発生情報が最も新しく受信されたイベント発生情報である。個々のイベント発生情報は、例えば電子メールの着信や電話の着信を通知するものである。
【００５８】
同図に示す例では、イベント発生情報の番号のうち、番号「１」〜「５」のイベント発生情報は、携帯端末３０より前回通知されたものであり、番号「６」〜「８」のイベント発生情報は、携帯端末３０より今回通知されたものである。このうち、番号「３」のイベント発生情報は、最後にアクションが実行されたイベントに係るイベント発生情報であり、番号記憶部６０に記憶されている。また、番号「５」及び「４」のイベント発生情報は、問い合わせ部６１ｂにより前回問い合わせ済みである。
【００５９】
電子時計１は、アクション実行部６１ａによりアクションが実行された場合並びに問い合わせ部６１ｂによる問い合わせが、最後にアクションが実行されたイベントに係るイベント発生情報に到達した場合及び問い合わせ部６１ｂによる問い合わせが既に問い合わせがなされたイベント発生情報に到達した場合の少なくともいずれかの場合に、二重にアクションが実行されるのを制限する。より具体的には、電子時計１の問い合わせ部６１ｂは、アクション実行部６１ａによりアクションが実行された場合並びに問い合わせ部６１ｂによる問い合わせが、最後にアクションが実行されたイベントに係るイベント発生情報に到達した場合及び問い合わせ部６１ｂによる問い合わせが既に問い合わせがなされたイベント発生情報に到達した場合の少なくともいずれかの場合に、問い合わせを終了する。
【００６０】
以下では、はじめに、アクション実行部６１ａによりアクションが実行された場合に二重にアクションが実行されるのを制限する処理について説明する。次に、最後にアクションが実行されたイベントに係るイベント発生情報に到達した場合に二重にアクションが実行されるのを制限する処理について説明する。その後、問い合わせ部６１ｂによる問い合わせが既に問い合わせがなされたイベント発生情報に到達した場合に二重にアクションが実行されるのを制限する処理について説明する。
【００６１】
電子時計１の問い合わせ部６１ｂは、最も新しいイベントから古いイベントに向かう順で、受信したイベント発生情報に関する問い合わせを携帯端末３０に行う。同図に示す例の場合、問い合わせ部６１ｂは、最新のイベント発生情報である番号「８」のイベント発生情報に関する問い合わせを携帯端末３０に行う。本実施形態に係る携帯端末３０は、アクション要否判断部５２ａを有し、問い合わせのあったイベント発生情報についてアクションの要否を判断し、アクション要否通知部５４ｂにより電子時計１に通知する。電子時計１は、アクション要否判断部５２ａによりアクション要と判断された場合、アクション実行部６１ａによりアクションを実行する。アクションの実行とは、例えばブザー１８の鳴動である。アクション実行部６１ａによりアクションを実行した場合、電子時計１は、問い合わせ部６１ｂによる問い合わせを終了し、二重にアクションが実行されるのを制限する。
【００６２】
本実施形態に係るイベント通知システム１００によれば、問い合わせ部６１ｂにより、最新のイベントから遡る順序でイベント発生情報に関する問い合わせを行うことで、最新のイベントの発生を速報することができる。これにより、仮にイベント発生情報の問い合わせ中に新たなイベント発生情報の着信があった場合であっても、最新のイベントについてアクション要否が判断されることとなり、イベントの発生の速報性が保たれる。また、アクションを実行した場合に問い合わせを終了することで、頻繁にアクションが実行されることによる煩わしさを防止することができる。
【００６３】
一方、アクション要否判断部５２ａによりアクション不要と判断された場合、問い合わせ部６１ｂは、２番目に新しいイベント発生情報である番号「７」のイベント発生情報に関する問い合わせを携帯端末３０に行う。番号「７」のイベント発生情報についてもアクション不要である場合、問い合わせ部６１ｂは、３番目に新しいイベント発生情報である番号「６」のイベント発生情報に関する問い合わせを携帯端末３０に行う。番号「６」のイベント発生情報についてもアクション不要である場合、問い合わせ部６１ｂは、４番目に新しいイベント発生情報である番号「５」のイベント発生情報に関する問い合わせを携帯端末３０に行う。番号「５」のイベント発生情報についてもアクション不要である場合、問い合わせ部６１ｂは、５番目に新しいイベント発生情報である番号「４」のイベント発生情報に関する問い合わせを携帯端末３０に行う。
【００６４】
仮に、番号「８」〜「４」のイベント発生情報いずれもアクション不要である場合、次に新しいイベント発生情報は番号「３」のイベント発生情報であるが、番号「３」のイベント発生情報は、最後にアクションが実行されたイベントに係るイベント発生情報である。番号「３」のイベント発生情報に関する問い合わせを行うと、問い合わせ部６１ｂによる問い合わせが、最後にアクションが実行されたイベントに係るイベント発生情報に到達することとなり、電子時計１は、問い合わせ部６１ｂによる問い合わせを終了し、二重にアクションが実行されるのを制限する。
【００６５】
本実施形態に係るイベント通知システム１００によれば、問い合わせ部６１ｂにより、最新のイベントから遡る順序でイベント発生情報に関する問い合わせを行うことで、最新のイベントの発生を速報することができる。また、問い合わせが、最後にアクションが実行されたイベントに係るイベント発生情報に到達した場合に問い合わせを終了することで、頻繁なアクションによる煩わしさを防止することができ、重複したイベント発生通知を防止することができる。
【００６６】
また、番号「８」〜「６」のイベント発生情報いずれもアクション不要である場合、次に新しいイベント発生情報は番号「５」のイベント発生情報であるが、番号「３」のイベント発生情報は、問い合わせ部６１ｂによる問い合わせが既に問い合わせがなされたイベント発生情報である。番号「５」のイベント発生情報に関する問い合わせを行うと、問い合わせ部６１ｂによる問い合わせが既に問い合わせがなされたイベント発生情報に到達することとなり、電子時計１は、問い合わせ部６１ｂによる問い合わせを終了し、二重にアクションが実行されるのを制限する。
【００６７】
本実施形態に係るイベント通知システム１００によれば、問い合わせ部６１ｂにより、最新のイベントから遡る順序でイベント発生情報に関する問い合わせを行うことで、最新のイベントの発生を速報することができる。また、問い合わせが既に問い合わせがなされたイベント発生情報に到達した場合に問い合わせを終了することで、頻繁なアクションによる煩わしさを防止することができ、重複したアクション要否の判断処理を防止することができる。
【００６８】
図５は、本発明の第１の実施形態に係るイベント通知システム１００において実行されるイベント通知処理の第１のフローチャートである。メール着信等のイベントが発生し、携帯端末３０は、イベント発生情報を電子時計１に通知する（Ｓ１）。電子時計１は、イベント発生情報を受信すると、未処理かつ最大番号のイベント発生情報のアクション要否を携帯端末３０に問い合わせる（Ｓ２）。ここで、未処理のイベント発生情報とは、問い合わせ部６１ｂによる問い合わせを行っていないイベント発生情報である。
【００６９】
携帯端末３０は、電子時計１より問い合わせのあったイベント発生情報についてアクション要否を判断する（Ｓ３）。アクション要と判断される場合（Ｓ３：ＹＥＳ）、携帯端末３０は電子時計１にアクション要の通知を行う（Ｓ４）。一方、アクション不要と判断される場合（Ｓ３：ＮＯ）、携帯端末３０は電子時計１にアクション不要の通知を行う（Ｓ５）。
【００７０】
電子時計１は、アクション要否の通知に従い、アクションが必要であるか否かを判断する（Ｓ６）。アクションが必要な場合（Ｓ６：ＹＥＳ）、アクションを実行する（Ｓ７）。アクション実行処理の詳細については、後に詳細に説明する。一方、アクションが不要の場合（Ｓ６：ＮＯ）、「Ｂ」に進み、図６に示す第１のサブルーチンの処理を行う。
【００７１】
図６は、本発明の第１の実施形態に係るイベント通知システム１００において実行されるイベント通知処理の第１のサブルーチンのフローチャートである。同図に示す処理は、問い合わせたイベント発生情報についてアクションが不要であった場合（Ｓ６：ＮＯ）に行なわれる処理である。電子時計１は、未処理かつ最大番号のイベント発生情報はアクション実行済みであるか否かを判断する（Ｓ８）。言い換えると、電子時計１は、最初に問い合わせしたイベント発生情報の番号が「Ｎ」であった場合、番号「Ｎ−１」が番号記憶部６０に記憶された番号（最後にアクションが実行されたイベントに係るイベント発生情報の番号）であるか否かを判断する。電子時計１は、未処理かつ最大番号のイベント発生情報がアクション実行済みであった場合（Ｓ８：ＹＥＳ）、イベント通知処理を終了する。
【００７２】
一方、未処理かつ最大番号のイベント発生情報がアクション実行済みでなかった場合（Ｓ８：ＮＯ）、連続した問い合わせの数が所定数に達したか否かを判断する（Ｓ９）。ここで、所定数は任意に設定してよい。連続した問い合わせの数が所定数に達した場合（Ｓ９：ＹＥＳ）、イベント通知処理を終了する。一方、連続した問い合わせの数が所定数に達していない場合（Ｓ９：ＮＯ）、図５の「Ａ」に戻り、イベント通知処理を継続する。
【００７３】
本実施形態に係るイベント通知システム１００によれば、携帯端末３０から、アクション不要であるイベント発生情報を連続して受信した場合であって、最後にアクションが実行されたイベントに係るイベント発生情報の番号に到達するまで大量のイベント発生情報について処理を行なわなければならない場合に、イベント通知処理が中断されるため、処理が長時間にわたって続けられることが防止され、電子時計１の消費電力の増大が防止される。
【００７４】
図７は、本発明の第１の実施形態に係るイベント通知システム１００において実行されるイベント通知処理の第２のフローチャートである。メール着信等のイベントが発生し、携帯端末３０は、イベント発生情報を電子時計１に通知する（Ｓ３１）。電子時計１は、イベント発生情報を受信すると、未処理かつ最大番号のイベント発生情報のアクション要否を携帯端末３０に問い合わせる（Ｓ３２）。ここで、未処理のイベント発生情報とは、問い合わせ部６１ｂによる問い合わせを行っていないイベント発生情報である。
【００７５】
携帯端末３０は、電子時計１より問い合わせのあったイベント発生情報についてアクション要否を判断する（Ｓ３３）。アクション要と判断される場合（Ｓ３３：ＹＥＳ）、携帯端末３０は電子時計１にアクション要の通知を行う（Ｓ３４）。一方、アクション不要と判断される場合（Ｓ３３：ＮＯ）、携帯端末３０は電子時計１にアクション不要の通知を行う（Ｓ３５）。
【００７６】
電子時計１は、アクション要否の通知に従い、アクションが必要であるか否かを判断する（Ｓ３６）。アクションが必要な場合（Ｓ３６：ＹＥＳ）、アクションを実行する（Ｓ３７）。アクション実行処理の詳細については、後に詳細に説明する。一方、アクションが不要の場合（Ｓ３６：ＮＯ）、「Ｃ」に進み、図８に示す第２のサブルーチンの処理を行う。
【００７７】
図８は、本発明の第１の実施形態に係るイベント通知システム１００において実行されるイベント通知処理の第２のサブルーチンのフローチャートである。同図に示す処理は、問い合わせたイベント発生情報についてアクションが不要であった場合（Ｓ３６：ＮＯ）に行なわれる処理である。電子時計１は、未処理かつ最大番号のイベント発生情報は既に問い合わせがなされたイベント発生情報であるか否かを判断する（Ｓ３８）。言い換えると、電子時計１は、最初に問い合わせしたイベント発生情報の番号が「Ｎ」であった場合、番号「Ｎ−１」が既に問い合わせがなされたイベント発生情報であるか否かを判断する。電子時計１は、未処理かつ最大番号のイベント発生情報がであった場合（Ｓ３８：ＹＥＳ）、イベント通知処理を終了する。
【００７８】
一方、未処理かつ最大番号のイベント発生情報が問い合わせ済みでなかった場合（Ｓ３８：ＮＯ）、連続した問い合わせの数が所定数に達したか否かを判断する（Ｓ３９）。ここで、所定数は任意に設定してよい。連続した問い合わせの数が所定数に達した場合（Ｓ３９：ＹＥＳ）、イベント通知処理を終了する。一方、連続した問い合わせの数が所定数に達していない場合（Ｓ３９：ＮＯ）、図７の「Ａ」に戻り、イベント通知処理を継続する。
【００７９】
図９は、本発明の第１の実施形態に係る電子時計１によるアクション実行処理の第１の例である。同図では、２種類のイベント（第１のイベント種類と第２のイベント種類）が設定されている場合における、アクション実行処理の例を示している。２種類のイベントは、例えば電子メールの着信と電話の着信である。なお、イベントの種類は３種類以上であってもよく、同図に示すアクション実行処理はイベントの種類が３種類以上である場合に拡張出来ることは言うまでもない。
【００８０】
携帯端末３０のイベント種類判断部５２ｂは、アクション要と判断されたイベントについて、イベントの種類が第１のイベント種類であるか第２のイベント種類であるかを判断して、アクション要の通知と共にイベント種類の別を通知する。電子時計１は、アクション要の通知とイベント種類の別とを受信する。電子時計１は、アクション要と判断されたイベントについて、受信したイベント種類の別に従って、イベントの種類が第１のイベント種類であるか否かを判断する（Ｓ１０）。イベントの種類が第１のイベント種類である場合（Ｓ１０：ＹＥＳ）、第１アラームを鳴動する（Ｓ１１）。一方、イベントの種類が第１のイベント種類でない場合（Ｓ１０：ＮＯ）、第２アラームを鳴動する（Ｓ１２）。ここで、第１アラームと第２アラームは、互いに区別可能なアラームであり、例えばブザー１８の鳴動間隔が異なる２種類のアラームであったり、ブザー１８の鳴動とバイブレータの振動であったり、ブザー１８の鳴動とバイブレータの振動の異なる組合せであったりしてよい。
【００８１】
アクション実行部６１ａは、イベントの種類に応じて、異なるアクションを実行する。本実施形態に係るイベント通知システム１００によれば、イベントの種類に応じて異なるアクションが実行されることで、ユーザがイベントの発生に加えて、イベントの種類の別を認識できる。
【００８２】
図１０は、本発明の第１の実施形態に係る電子時計１によるイベント種類毎のアクション実行処理のフローチャートである。本実施形態に係る電子時計１は、イベントの種類毎に、二重にアクションが実行されるのを制限する。
【００８３】
電子時計１は、携帯端末３０よりイベント発生情報を受信した場合、第１のイベント種類について問い合わせ処理が終了したか否かを判断する（Ｓ４０）。第１のイベント種類について問い合わせ処理が終了していない場合（Ｓ４０：ＮＯ）、第１のイベント種類についてイベント通知処理を行う（Ｓ４１）。ここで、イベント通知処理とは、図５又は図７に示す処理である。イベント通知処理は、アクション実行部６１ａによりアクションが実行された場合並びに問い合わせ部６１ｂによる問い合わせが、最後にアクションが実行されたイベントに係るイベント発生情報に到達した場合及び問い合わせ部６１ｂによる問い合わせが既に問い合わせがなされたイベント発生情報に到達した場合の少なくともいずれかの場合に終了する。番号記憶部６０は、最後にアクションが実行されたイベントに係るイベント発生情報の番号を、イベント種類毎に記憶して、問い合わせ部６１ｂによる問い合わせが、最後にアクションが実行されたイベントに係るイベント発生情報に到達したか否か、及び問い合わせ部６１ｂによる問い合わせが既に問い合わせがなされたイベント発生情報に到達したか否かを、イベント種類毎に判断することとしてよい。
【００８４】
第１のイベント種類について問い合わせ処理が終了した場合（Ｓ４０：ＹＥＳ）、第２のイベント種類について問い合わせ処理が終了したか否かを判断する（Ｓ４２）。第２のイベント種類について問い合わせ処理が終了していない場合（Ｓ４２：ＮＯ）、第２のイベント種類についてイベント通知処理を行う（Ｓ４３）。ここで、イベント通知処理とは、図５又は図７に示す処理である。イベント通知処理は、アクション実行部６１ａによりアクションが実行された場合並びに問い合わせ部６１ｂによる問い合わせが、最後にアクションが実行されたイベントに係るイベント発生情報に到達した場合及び問い合わせ部６１ｂによる問い合わせが既に問い合わせがなされたイベント発生情報に到達した場合の少なくともいずれかの場合に終了する。
【００８５】
本実施形態に係るイベント通知システム１００によれば、電子時計１によるアクションを実行するか否かがイベント種類毎に判断され、異なる種類のイベントそれぞれについて、頻繁なアクションによる煩わしさが防止される。
【００８６】
図１１は、本発明の第１の実施形態に係る電子時計１によるアクション実行処理の第２の例である。本実施形態に係る電子時計１は、イベントの優先度に応じて、異なるアクションを実行する。同図では、イベントに二段階の優先度が設定されている場合を例示している。図１３を用いて説明するように、優先度が高いイベントは、優先度が低いイベントよりも優先的にアクションが実行される。なお、優先度は３段階以上であってもよく、同図に示すアクション実行処理はイベントの優先度が３段階以上ある場合に拡張出来ることは言うまでもない。
【００８７】
携帯端末３０の優先度判断部５２ｃは、アクション要と判断されたイベントについて、イベントの優先度を判断して、アクション要の通知と共にイベントの優先度を通知する。電子時計１は、アクション要の通知とイベントの優先度を受信する。電子時計１は、アクション要と判断されたイベントについて、受信したイベントの優先度に従って、イベントの優先度が高いか否かを判断する（Ｓ２０）。イベントの優先度が高い場合（Ｓ２０：ＹＥＳ）、第３アラームを鳴動する（Ｓ２１）。一方、イベントの優先度が高くない場合（イベントの優先度が低い場合）（Ｓ２０：ＮＯ）、第４アラームを鳴動する（Ｓ２２）。ここで、第３アラームと第４アラームは、互いに区別可能なアラームであり、例えばブザー１８の鳴動間隔が異なる２種類のアラームであったり、ブザー１８の鳴動とバイブレータの振動であったり、ブザー１８の鳴動とバイブレータの振動の異なる組合せであったりしてよい。
【００８８】
アクション実行部６１ａは、イベントの種類に応じて、異なるアクションを実行する。本実施形態に係るイベント通知システム１００によれば、イベントの優先度に応じて異なるアクションが実行されることで、ユーザがイベントの発生に加えて、イベントの優先度の別を認識できる。
【００８９】
図１２は、本発明の第１の実施形態に係る電子時計１による優先度毎のアクション実行処理のフローチャートである。本実施形態に係る電子時計１のアクション実行部６１ａは、異なる優先度のイベントについて、優先度が高いイベントについてのアクションを、優先度が低いイベントについてのアクションに対して、優先的に実行する。
【００９０】
電子時計１は、携帯端末３０よりイベント発生情報を受信した場合、優先度が高いイベントについて問い合わせ処理が終了したか否かを判断する（Ｓ５０）。優先度が高いイベントについて問い合わせ処理が終了していない場合（Ｓ５０：ＮＯ）、優先度が高いイベントについてイベント通知処理を行う（Ｓ５１）。ここで、イベント通知処理とは、図５又は図７に示す処理である。イベント通知処理は、アクション実行部６１ａによりアクションが実行された場合並びに問い合わせ部６１ｂによる問い合わせが、最後にアクションが実行されたイベントに係るイベント発生情報に到達した場合及び問い合わせ部６１ｂによる問い合わせが既に問い合わせがなされたイベント発生情報に到達した場合の少なくともいずれかの場合に終了する。番号記憶部６０は、最後にアクションが実行されたイベントに係るイベント発生情報の番号を、イベントの優先度毎に記憶して、問い合わせ部６１ｂによる問い合わせが、最後にアクションが実行されたイベントに係るイベント発生情報に到達したか否か、及び問い合わせ部６１ｂによる問い合わせが既に問い合わせがなされたイベント発生情報に到達したか否かを、イベントの優先度毎に判断することとしてよい。
【００９１】
優先度が高いイベントについて問い合わせ処理が終了した場合（Ｓ５０：ＹＥＳ）、優先度が低いイベントについて問い合わせ処理が終了したか否かを判断する（Ｓ５２）。優先度が低いイベントについて問い合わせ処理が終了していない場合（Ｓ５２：ＮＯ）、優先度が低いイベントについてイベント通知処理を行う（Ｓ５３）。ここで、イベント通知処理とは、図５又は図７に示す処理である。イベント通知処理は、アクション実行部６１ａによりアクションが実行された場合並びに問い合わせ部６１ｂによる問い合わせが、最後にアクションが実行されたイベントに係るイベント発生情報に到達した場合及び問い合わせ部６１ｂによる問い合わせが既に問い合わせがなされたイベント発生情報に到達した場合の少なくともいずれかの場合に終了する。
【００９２】
本実施形態に係るイベント通知システム１００によれば、電子時計１によるアクションを実行するか否かがイベントの優先度毎に判断され、異なる優先度のイベントそれぞれについて、頻繁なアクションによる煩わしさが防止される。
【００９３】
図１３は、本発明の第１の実施形態に係る電子時計１による問い合わせ周期の設定処理のフローチャートである。問い合わせ部６１ｂは、所定の周期で携帯端末３０への問い合わせを行い、受信されたイベント発生情報の数が所定数以上である場合、所定の周期を短くする。ここで、所定の周期とは、数ミリ秒〜数秒である。本実施形態に係る電子時計１は、例えば、問い合わせ部６１ｂによる通常の問い合わせを数秒周期で行い、受信されたイベント発生情報の数が１０以上である場合に、問い合わせを数ミリ秒の周期で行うこととしてよい。同図では、問い合わせの周期が二段階設定されている場合を例示している。なお、問い合わせの周期は３段階以上設定されてもよく、同図に示す問い合わせ周期の設定処理は問い合わせの周期が３段階以上ある場合に拡張出来ることは言うまでもない。
【００９４】
電子時計１の周期設定部６１ｃは、受信されたイベント発生情報の数が所定数以上であるか否かを判断する（Ｓ６０）。受信されたイベント発生情報の数が所定数以上である場合（Ｓ６０：ＹＥＳ）、問い合わせ周期を短周期に設定する（Ｓ６１）。一方、受信されたイベント発生情報の数が所定数以上でない場合（Ｓ６０：ＮＯ）、問い合わせ周期を超周期に設定する（Ｓ６２）。
【００９５】
本実施形態に係るイベント通知システム１００によれば、受信されたイベント発生情報の数が多い場合に、問い合わせ周期を短く設定することで、イベント発生情報の処理が長時間に及ぶことが防止され、イベント発生の速報性が向上する。また、受信されたイベント発生情報の数が少ない場合には、問い合わせ周期を長く設定することで、電子時計１の消費電力が低減される。
【００９６】
図１４は、本発明の第１の実施形態に係る電子時計１によるイベント発生情報の番号の消去処理のフローチャートである。携帯端末３０は、イベントが発生した場合にイベント発生情報を電子時計１に送信するが、ユーザがイベントを確認した場合等に、イベント発生情報に含まれる番号をリセットして、その後発生したイベントについて、イベント発生情報に新たに番号を付す場合がある。そのような場合、新たに受信したイベント発生情報の番号が、最後に受信したイベント発生情報の番号以下となることがあり、最後にアクションが実行されたイベントの番号が誤って認定されるおそれがある。
【００９７】
電子時計１は、イベント発生情報を受信した場合に、受信したイベント発生情報の番号が、最後に受信したイベント発生情報の番号以下であるか否かを判断する（Ｓ７０）。受信したイベント発生情報の番号が、最後に受信したイベント発生情報の番号以下である場合（Ｓ７０：ＹＥＳ）、消去部６１ｄは、番号記憶部６０に記憶された番号を消去する（Ｓ７１）。
【００９８】
本実施形態に係るイベント通知システム１００によれば、イベント発生情報の番号が連続して付されていないおそれがある場合に、最後にアクションが実行されたイベントが誤って認定されることを防止できる。
【００９９】
図１５は、本発明の第１の実施形態に係る電子時計１によるイベント発生情報の番号の減算処理のフローチャートである。電子時計１は、イベント発生情報を受信した場合に、受信したイベント発生情報の番号が、最後に受信したイベント発生情報の番号以下であるか否かを判断する（Ｓ８０）。受信したイベント発生情報の番号が、最後に受信したイベント発生情報の番号以下である場合（Ｓ８０：ＹＥＳ）、減算部６１ｅは、番号記憶部６０に記憶された番号を、少なくとも最後に受信したイベント発生情報の番号から新たに受信したイベント発生情報の番号を引いた数だけ減算する（Ｓ８１）。例えば、番号記憶部６０に記憶された番号が「３」であり、最後に受信した番号が「８」で、新たに受信した番号が「７」である場合、減算部６１ｅは、番号記憶部６０に記憶された番号を１だけ減算して、「２」とする。減算部６１ｅが減算する量は、最後に受信したイベント発生情報の番号から新たに受信したイベント発生情報の番号を引いた数以上であればよい。
【０１００】
本実施形態に係るイベント通知システム１００によれば、イベント発生情報の番号が連続して付されていないおそれがある場合に、最後にアクションが実行されたイベントが誤って認定されることが防止され、番号記憶部６０に記憶された番号が消去されないため、番号記憶部６０に記憶された番号を消去する場合に比べて、イベント発生情報の問い合わせに要する時間が短縮される。
【０１０１】
図１６は、本発明の第１の実施形態に係る電子時計により追加受信されるイベント発生情報の番号を示す図である。同図では、左側に記載した下向き矢印によりイベント発生情報の通知順（イベント発生順）を示している。また、１から１０までのイベント発生情報の番号を示している。番号「１」のイベント発生情報が最も過去に受信されたイベント発生情報であり、番号「１０」のイベント発生情報が最も新しく受信されたイベント発生情報である。個々のイベント発生情報は、例えば電子メールの着信や電話の着信を通知するものである。
【０１０２】
同図に示す例では、番号「７」のイベント発生情報についての問い合わせ部６１ｂによる問い合わせ中に、番号「９」及び「１０」のイベント発生情報を受信した場合を示している。イベント発生情報の番号のうち、番号「１」〜「５」のイベント発生情報は、携帯端末３０より前回通知されたものであり、番号「６」〜「８」のイベント発生情報は、携帯端末３０より今回通知されたものであり、番号「９」〜「１０」のイベント発生情報は、携帯端末３０より追加で通知されたものである。このうち、番号「３」のイベント発生情報は、最後にアクションが実行されたイベントに係るイベント発生情報であり、番号記憶部６０に記憶されている。また、番号「５」及び「４」のイベント発生情報は、問い合わせ部６１ｂにより前回問い合わせ済みである。
【０１０３】
電子時計１は、問い合わせ部６１ｂによる問い合わせ中に、イベント発生情報受信部６２ａにより携帯端末３０から新たなイベント発生情報を受信した場合、問い合わせ部６１ｂによる問い合わせに係るイベントの種類に応じて、問い合わせを中断するか継続するかを判断する。同図に示す例では、問い合わせ部６１ｂによる番号「７」のイベント発生情報に関する問い合わせ中に、新たなイベント発生情報である番号「９」及び「１０」のイベント発生情報が受信され、電子時計１は、番号「７」のイベント発生情報の種類に応じて、番号「７」のイベント発生情報に関する問い合わせを中断するか継続するかを判断する。なお、イベントの種類に優劣が無く、イベントの種類に応じて問い合わせの継続可否を判断する必要が無いと考えられる場合、電子時計１は、問い合わせ部６１ｂによる問い合わせ中に、イベント発生情報受信部６２ａにより携帯端末３０から新たなイベント発生情報を受信した場合、問い合わせ部６１ｂによる問い合わせに係るイベントの種類に関わらず、問い合わせを中断することとしてもよい。
【０１０４】
例えば、イベント発生情報の種類が２種類あり、第１のイベント種類が電話の着信であり、第２のイベント種類がメールの受信である場合、電子時計１は、番号「７」のイベント発生情報の種類が第１のイベント種類である場合に、番号「７」の問い合わせを継続し、番号「７」のイベント発生情報の種類が第２のイベント種類である場合に、番号「７」の問い合わせを中断することとしてよい。これにより、イベントが追加で発生した場合に、速報すべきイベントに関する問い合わせが継続され、イベントの発生を適切にユーザに知らせることができる。なお、電話の着信は二重に発生することがないため、電話の着信に関する問い合わせを優先しても、他の電話の着信の通知が遅れることはない。
【０１０５】
電子時計１は、問い合わせ部６１ｂによる問い合わせを中断した場合、最も新しいイベントに係るイベント発生情報から問い合わせを再開する。同図に示す例において、仮に、問い合わせ部６１ｂによる番号「７」のイベント発生情報に関する問い合わせを中断した場合、最も新しいイベントに係る番号「１０」のイベント発生情報から問い合わせを再開する。これにより、問い合わせ部６１ｂによる問い合わせ中であっても、最新のイベントについて問い合わせが行なわれ、イベントの速報性が向上する。なお、問い合わせ部６１ｂによる問い合わせを中断して、最も新しいイベントに係るイベント発生情報から問い合わせを再開する場合、問い合わせ部６１ｂによる問い合わせが既に問い合わせがなされたイベント発生情報に到達した場合であっても、問い合わせを終了しないこととしてもよい。問い合わせ部６１ｂによる問い合わせを中断して、最も新しいイベントに係るイベント発生情報から問い合わせを再開する場合、問い合わせが行なわれていないイベント発生情報が、既に問い合わせがなされたイベント発生情報の間に残される場合があり、通知が不完全なまま問い合わせ処理が終了してしまう場合が想定されるからである。図１６に示す例について説明すると、番号「７」のイベント発生情報に関する問い合わせを中断して、番号「１０」のイベント発生情報に関する問い合わせを開始した場合、番号「８」のイベント発生情報については問い合わせが終了しているが、番号「７」及び番号「６」のイベント発生情報は問い合わせが終了していない状態のまま残される。このような状態で、番号「１０」のイベント発生情報から問い合わせを行い、番号「８」のイベント発生情報に到達した時点で問い合わせを終了すると、番号「７」及び番号「６」のイベント発生情報に関する問い合わせが行なわれないこととなってしまう。そのため、電子時計１は、アクション実行部６１ａによりアクションが実行された場合及び問い合わせ部６１ｂによる問い合わせが、最後にアクションが実行されたイベントに係るイベント発生情報に到達した場合の少なくともいずれかの場合に、問い合わせを終了することとしてよい。
【０１０６】
図１７は、本発明の第１の実施形態に係る電子時計１による問い合わせ中断処理のフローチャートである。同図に示すフローチャートは、電子時計１によりイベント発生情報を受信して、問い合わせ部６１ｂによる問い合わせ処理を行っている場合における処理を示している。
【０１０７】
電子時計１は、問い合わせ部６１ｂによる問い合わせ中に追加のイベント発生情報の通知があるか否かを判断する（Ｓ１１１）。追加通知が無い場合（Ｓ１１１：ＮＯ）、問い合わせ中断処理を終了する。追加通知がある場合（Ｓ１１１：ＹＥＳ）、問い合わせ部６１ｂによる問い合わせに係るイベントの種類が第１のイベント種類であるか否かを判断する（Ｓ１１２）。問い合わせ部６１ｂによる問い合わせに係るイベントの種類が第１のイベント種類である場合（Ｓ１１２：ＹＥＳ）、電子時計１は現在の問い合わせ処理を継続する。その後、電子時計１は、現在の問い合わせの次に問い合わせすべきイベントについて、問い合わせ処理を中断する（Ｓ１１４）。そして、未処理かつ最大番号のイベント発生情報について問い合わせ処理を行う（Ｓ１１６）。
【０１０８】
一方、追加通知がある場合であって（Ｓ１１１：ＹＥＳ）、問い合わせ部６１ｂによる問い合わせに係るイベントの種類が第１のイベント種類でない場合（Ｓ１１２：ＮＯ）、電子時計１は、現在の問い合わせ処理を中断する（Ｓ１１５）。その後、未処理かつ最大番号のイベント発生情報について問い合わせ処理を開始する（Ｓ１１６）。
【０１０９】
［第２の実施形態］
図１８は、本発明の第２の実施形態に係るイベント通知システム１００の機能ブロック図である。本実施形態に係るイベント通知システム１００は、携帯端末３０の端末通信部５４が、イベント詳細情報通知部５４ｃを含む点で、第１の実施形態に係るイベント通知システムと相違する。イベント詳細情報通知部５４ｃは、問い合わせ部６１ｂからの問い合わせに対して、問い合わせに係るイベント発生情報についてのイベント詳細情報を通知する。イベント詳細情報とは、イベントを具体的に特定するための情報であり、例えばイベントの発生時刻やイベントを起こした者を特定するための情報を含む。具体的には、イベントが電子メールの着信であった場合、メールの受信時刻、メール送信者名、送信元のメールアドレス、電子メールの内容等を含む。イベント詳細情報通知部５４ｃ以外の構成について、本実施形態に係るイベント通知システム１００は、第１の実施形態に係るイベント通知システムと同様の構成を有する。
【０１１０】
図１９は、本発明の第２の実施形態に係るイベント通知システム１００において実行されるイベント通知処理のフローチャートである。メール着信等のイベントが発生し、携帯端末３０は、イベント発生情報を電子時計１に通知する（Ｓ９１）。電子時計１は、イベント発生情報を受信すると、未処理かつ最大番号のイベント発生情報のイベント詳細情報を携帯端末３０に問い合わせる（Ｓ９２）。ここで、未処理のイベント発生情報とは、問い合わせ部６１ｂによる問い合わせを行っていないイベント発生情報である。
【０１１１】
携帯端末３０は、電子時計１より問い合わせのあったイベント発生情報について、イベント詳細情報を送信する（Ｓ９３）。電子時計１は、イベント詳細情報を受けて、携帯端末３０に対してアクション要否の問い合わせを行う（Ｓ９４）。携帯端末３０は、電子時計１より問い合わせのあったイベント発生情報についてアクション要否を判断する（Ｓ９５）。アクション要と判断される場合（Ｓ９５：ＹＥＳ）、携帯端末３０は電子時計１にアクション要の通知を行う（Ｓ９６）。一方、アクション不要と判断される場合（Ｓ９５：ＮＯ）、携帯端末３０は電子時計１にアクション不要の通知を行う（Ｓ９７）。
【０１１２】
電子時計１は、アクション要否の通知に従い、アクションが必要であるか否かを判断する（Ｓ９８）。アクションが必要な場合（Ｓ９８：ＹＥＳ）、アクションを実行する（Ｓ９９）。アクション実行処理の詳細については、第１の実施形態について説明したのと同様であるため、ここでは繰り返さない。一方、アクションが不要の場合（Ｓ９８：ＮＯ）、「Ｂ」に進み、図６に示す第１のサブルーチンの処理を行う。もっとも、アクションが不要の場合（Ｓ９８：ＮＯ）、図８に示す第２のサブルーチンの処理を行ってもよい。
【０１１３】
［第３の実施形態］
図２０は、本発明の第２の実施形態に係るイベント通知システム１００の機能ブロック図である。本実施形態に係るイベント通知システム１００は、携帯端末３０の端末制御部５２が、アクション要否判断部、イベント種類判断部及び優先度判断部を有さず、電子時計１の時計制御部が、アクション要否判断部６１ｆ、イベント種類判断部６１ｇ及び優先度判断部６１ｈを有する点で第１の実施形態に係るイベント通知システムと相違する。また、本実施形態に係るイベント通知システム１００は、携帯端末３０の端末通信部５４が、アクション要否通知部５４ｂを有さず、イベント詳細情報通知部５４ｃを有する点で、第１の実施形態に係るイベント通知システムと相違する。その他の構成について、本実施形態に係るイベント通知システム１００は、第１の実施形態に係るイベント通知システムと同様の構成を有する。
【０１１４】
図２１は、本発明の第２の実施形態に係るイベント通知システム１００において実行されるイベント通知処理のフローチャートである。メール着信等のイベントが発生し、携帯端末３０は、イベント発生情報を電子時計１に通知する（Ｓ１０１）。電子時計１は、イベント発生情報を受信すると、未処理かつ最大番号のイベント発生情報のイベント詳細情報を携帯端末３０に問い合わせる（Ｓ１０２）。ここで、未処理のイベント発生情報とは、問い合わせ部６１ｂによる問い合わせを行っていないイベント発生情報である。
【０１１５】
携帯端末３０は、電子時計１より問い合わせのあったイベント発生情報について、イベント詳細情報を送信する（Ｓ１０３）。電子時計１は、イベント詳細情報に基づいて、問い合わせに係るイベント発生情報についてのアクションの要否を判断する（Ｓ１０４）。アクションが必要な場合（Ｓ１０４：ＹＥＳ）、アクションを実行する（Ｓ１０５）。アクション実行処理の詳細については、第１の実施形態について説明したのと同様であるため、ここでは繰り返さない。なお、イベント種類判断部６１ｇによるイベント種類の判断と、イベント種類毎のアクションの実行は、図９及び１０に示した処理と同様である。また、優先度判断部６１ｈによるイベントの優先度の判断と、イベントの優先度毎のアクションの実行は、図１１及び１２に示した処理と同様である。一方、アクションが不要の場合（Ｓ１０４：ＮＯ）、「Ｂ」に進み、図６に示す第１のサブルーチンの処理を行う。もっとも、アクションが不要の場合（Ｓ１０４：ＮＯ）、図８に示す第２のサブルーチンの処理を行ってもよい。
【０１１６】
以上、本発明に係る実施形態について説明したが、この実施形態に示した具体的な構成は一例として示したものであり、本発明の技術的範囲をこれに限定することは意図されていない。例えば、上述の実施形態では、アクション実行部６１ａは、ブザー１８を鳴動させることでアクションを実行しているが、アクションはこれに限られない。アクション実行部６１ａは、例えばイベントの種類が電子メールの受信だった場合に、秒針２２によって電子メール受信表示１３を指すのみでブザー１８は鳴動させず、イベントの種類が電話の着信だった場合に、秒針２２によって電話着信表示１４を指すとともにブザー１８を鳴動させることとしてもよい。
【符号の説明】
【０１１７】
１  電子時計、２  竜頭、４  プッシュボタン、１０  文字板、１１  接続処理表示、１２  リンクロス表示、１３  電子メール受信表示、１４  電話着信表示、１５  第１副針、１５ａ  ２４時間表示、１６  第２副針、１６ａ  充電残量表示、１６ｂ  曜日表示、１６ｃ  アラーム設定表示、１６ｄ  接続状態表示、１７  第３副針、１７ａ  機能設定表示、１８  ブザー、２０  時針、２１  分針、２２  秒針、３０  携帯端末、３１  ＣＰＵ、３２  エンコード／デコード回路、３３  二次電池、４０  コントローラ、４１
エンコード／デコード回路、４２  モータ、４３  太陽電池、４４  二次電池、４５  スイッチ、５０  入力部、５１  表示部、５２  端末制御部、５２ａ  アクション要否判断部、５２ｂ  イベント種類判断部、５２ｃ  優先度判断部、５４  端末通信部、５４ａ
イベント発生情報通知部、５４ｂ  アクション要否通知部、５４ｃ  イベント詳細情報通知部、６０  番号記憶部、６１  時計制御部、６１ａ  アクション実行部、６１ｂ  問い合わせ部、６１ｃ  周期設定部、６１ｄ  消去部、６１ｅ  アクション要否判断部、６１ｆ  イベント種類判断部、６１ｇ  優先度判断部、６２  時計通信部、６２ａ  イベント発生情報受信部、６２ｂ  問い合わせ送信部、１００  イベント通知システム。
【図１】
2020197538.tif 000003
【図２】
2020197538.tif 000004
【図３】
2020197538.tif 000005
【図４】
2020197538.tif 000006
【図５】
2020197538.tif 000007
【図６】
2020197538.tif 000008
【図７】
2020197538.tif 000009
【図８】
2020197538.tif 000010
【図９】
2020197538.tif 000011
【図１０】
2020197538.tif 000012
【図１１】
2020197538.tif 000013
【図１２】
2020197538.tif 000014
【図１３】
2020197538.tif 000015
【図１４】
2020197538.tif 000016
【図１５】
2020197538.tif 000017
【図１６】
2020197538.tif 000018
【図１７】
2020197538.tif 000019
【図１８】
2020197538.tif 000020
【図１９】
2020197538.tif 000021
【図２０】
2020197538.tif 000022
【図２１】
2020197538.tif 000023
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
イベントが発生したことを示すイベント発生情報を外部機器に通知するイベント発生情報通知部を有する電子機器と、
前記電子機器より少なくとも１以上の前記イベント発生情報を受信するイベント発生情報受信部と、
最も新しいイベントから古いイベントに向かう順で、受信した前記イベント発生情報に関する問い合わせを前記電子機器に行う問い合わせ部と、
問い合わせ結果により得られるアクションの要否に基づいて、アクションを実行するアクション実行部と、有する電子時計と、を備え、
前記電子時計は、前記問い合わせ部による問い合わせ中に、前記イベント発生情報受信部により前記電子機器から新たなイベント発生情報を受信した場合、前記問い合わせ部による問い合わせに係るイベントの種類に応じて、問い合わせを中断するか継続するかを判断する、
イベント通知システム。
【請求項２】
前記電子時計は、前記問い合わせ部による問い合わせを中断した場合、最も新しいイベントに係るイベント発生情報から問い合わせを再開する、
請求項１に記載のイベント通知システム。
【請求項３】
前記アクション実行部は、前記イベントの種類に応じて、異なるアクションを実行する、
請求項１又は２に記載のイベント通知システム。
【請求項４】
前記電子時計は、前記イベントの種類毎に、問い合わせをする、
請求項１乃至３のいずれか一項に記載のイベント通知システム。
【請求項５】
前記アクション実行部は、前記イベントの優先度に応じて、異なるアクションを実行する、
請求項１乃至４のいずれか１項に記載のイベント通知システム。
【請求項６】
前記アクション実行部は、異なる優先度のイベントについて、前記優先度が高いイベントについてのアクションを、前記優先度が低いイベントについてのアクションに対して、優先的に実行する、
請求項５に記載のイベント通知システム。
【請求項７】
前記問い合わせ部は、連続した問い合わせの数が所定数に達した場合、問い合わせを終了する、
請求項１乃至６のいずれか１項に記載のイベント通知システム。
【請求項８】
前記問い合わせ部は、所定の周期で前記電子機器への問い合わせを行い、受信された前記イベント発生情報の数が所定数以上である場合、前記所定の周期を短くする、
請求項１乃至７のいずれか１項に記載のイベント通知システム。
【請求項９】
前記イベント発生情報は、イベント発生順に応じた連続する番号を含み、
前記電子時計は、
最後にアクションが実行されたイベントに係るイベント発生情報の番号を記憶する記憶部と、
新たに受信した前記イベント発生情報の番号が、最後に受信した前記イベント発生情報の番号以下である場合に、前記記憶部に記憶された前記イベント発生情報の番号を消去する消去部と、をさらに有する、
請求項１乃至８のいずれか１項に記載のイベント通知システム。
【請求項１０】
前記イベント発生情報は、イベント発生順に応じた連続する番号を含み、
前記電子時計は、
最後にアクションが実行されたイベントに係るイベント発生情報の番号を記憶する記憶部と、
新たに受信した前記イベント発生情報の番号が、最後に受信した前記イベント発生情報の番号以下である場合に、前記記憶部に記憶された前記イベント発生情報の番号を、少なくとも最後に受信した前記イベント発生情報の番号から新たに受信した前記イベント発生情報の番号を引いた数だけ減算する減算部と、をさらに有する、
請求項１乃至８のいずれか１項に記載のイベント通知システム。
【請求項１１】
前記電子機器は、前記問い合わせ部からの問い合わせに対して、問い合わせに係る前記イベント発生情報についてのアクションの要否を通知するアクション要否通知部をさらに有する、
請求項１乃至１０のいずれか１項に記載のイベント通知システム。
【請求項１２】
前記電子機器は、前記問い合わせ部からの問い合わせに対して、問い合わせに係る前記イベント発生情報についてのイベント詳細情報を通知するイベント詳細情報通知部をさらに有し、
前記問い合わせ部は、前記イベント詳細情報についてのアクションの要否の問い合わせを前記電子機器に行い、
前記電子機器は、前記アクションの要否の問い合わせに対して、問い合わせに係る前記イベント詳細情報についてのアクションの要否を通知するアクション要否通知部をさらに有する、
請求項１乃至１１のいずれか１項に記載のイベント通知システム。
【請求項１３】
前記電子機器は、前記問い合わせ部からの問い合わせに対して、問い合わせに係る前記イベント発生情報についてのイベント詳細情報を通知するイベント詳細情報通知部をさらに有し、
前記電子時計は、前記イベント詳細情報に基づいて、問い合わせに係る前記イベント発生情報についてのアクションの要否を判断するアクション要否判断部をさらに有する、
請求項１乃至１１のいずれか１項に記載のイベント通知システム。
【請求項１４】
電子機器より、イベントが発生したことを示す少なくとも１以上のイベント発生情報を受信するイベント発生情報受信部と、
最も新しいイベントから古いイベントに向かう順で、受信した前記イベント発生情報に関する問い合わせを前記電子機器に行う問い合わせ部と、
問い合わせ結果により得られるアクションの要否に基づいて、アクションを実行するアクション実行部と、を備え、
前記問い合わせ部による問い合わせ中に、前記イベント発生情報受信部により前記電子機器から新たなイベント発生情報を受信した場合、前記問い合わせ部による問い合わせに係るイベントの種類に応じて、問い合わせを中断するか継続するかを判断する、
電子時計。
【請求項１５】
電子機器により、イベントが発生したことを示すイベント発生情報を電子時計に通知し、
電子時計により、前記電子機器より少なくとも１以上の前記イベント発生情報を受信し、
電子時計により、最も新しいイベントから古いイベントに向かう順で、受信した前記イベント発生情報に関する問い合わせを前記電子機器に行い、
電子時計により、問い合わせ結果により得られるアクションの要否に基づいて、アクションを実行し、
前記電子時計は、前記問い合わせ部による問い合わせ中に、前記イベント発生情報受信部により前記電子機器から新たなイベント発生情報を受信した場合、前記問い合わせ部による問い合わせに係るイベントの種類に応じて、問い合わせを中断するか継続するかを判断する、
イベント通知方法。